(57)【要約】【課題】犬などのペットを散歩に連れ歩く際、その用便時の糞を回収するのに、ビニール袋や紙袋を要することなく、簡易にしかも衛生的に回収することのできるペット用の糞回収具を提供する。【解決手段】バネ４ａによって自由状態においては両脚３，３が、その下端が開く開脚状をなすように形成されたハサミ本体２の両脚３、３の各下端に容器６，６を設けた。各容器６，６は両脚３，３を閉じることによって、糞Ｈを挟み取る形で容器６，６内に収容可能でありかつ容器６、６が相互に塞がれるようにした。そして、両脚３，３の外側には環状体９を外嵌し、その閉脚状態において両脚３，３に沿って下端側へずらすことによってその閉脚状態が保持されかつ容器６，６が相互に塞がれた状態が保持されるようにした。【選択図】図１
0003111673.tif 000002
【実用新案登録請求の範囲】
【請求項１】
バネによって自由状態においては両脚が、その下端が開く開脚状をなすように形成されたハサミ本体と、その両脚の各下端に容器を備えており、前記各容器は前記両脚を閉じることによって糞を挟み取る形で該容器内に収容可能でありかつ前記容器が相互に塞がれるように構成されており、前記両脚には、その閉脚状態において前記両脚に沿って下端側へ移動されることによってその閉脚状態が保持されかつ前記容器が相互に塞がれた状態が保持されるように形成された閉脚用クリップが、外嵌状に設けられていることを特徴とするペット用の糞回収具。
【請求項２】
バネによって自由状態においては両脚が、その下端が開く開脚状をなすように形成されたハサミ本体と、その両脚の一方の下端に容器を備えると共に他方の下端に蓋を備えており、前記容器と前記蓋とは前記両脚を閉じることによって糞を挟み取る形で該容器内に収容可能でありかつ前記容器が前記蓋で塞がれるように構成されており、前記両脚には、その閉脚状態において前記両脚に沿って下端側へ移動されることによってその閉脚状態が保持されかつ前記容器が前記蓋で塞がれた状態が保持されるように形成された閉脚用クリップが、外嵌状に設けられていることを特徴とするペット用の糞回収具。
【請求項３】
前記バネが、前記両脚の上端部において該両脚と一体で折返し状に形成された板バネであることを特徴とする請求項１又は２のいずれか１項に記載のペット用の糞回収具。
【請求項４】
前記閉脚用クリップが環状体であることを特徴とする請求項１、２又は３のいずれか１項に記載のペット用の糞回収具。
【請求項５】
前記バネが、前記両脚の上端部において該両脚と一体で折返し状に形成された板バネであり、前記閉脚用クリップが環状体であり、前記両脚に外嵌状に設けられたこの環状体が前記両脚の上端から抜けないように前記板バネが形成されていることを特徴とする請求項１又は２のいずれか１項に記載のペット用の糞回収具。
【考案の詳細な説明】
【技術分野】
【０００１】
本考案は、犬や猫の散歩においてそれらが脱糞した際、その糞を回収するのに好適なペット用の糞回収具に関する。
【背景技術】
【０００２】
近年のペットブームにより、犬や猫のペット愛好家の増加は著しく、朝夕にこれを散歩させる人の数も著しく増加している。この際、飼い主が気を使うのがペットの脱糞（用便）時のその糞（大便）の回収及び回収した糞の携行さらには帰宅後のその処理である。
【０００３】
従来、糞の回収、携行等の手段としての文献公知技術は本願発明者は知らないが、公知の１つの手段は、ビニールや紙製の袋を用いる方法である。これは、飼い主において用意したビニールや紙製の袋（以下、単に袋ともいう）の中にその開口側から手を突っ込み、その状態で、排便された糞をその袋を介して把持ないし掴み取り、袋を裏返すようにしてその開口部側を絞り込み、或いは縛り付けて封止したりして収容するという具合である。また、別の手段としては、バネ性で開脚状をなす塵ハサミのようなハサミ道具で、糞を挟み取り、これを袋や容器に移し替えて封止して収容するということもある。このような手段では、飼い主はその糞入りの袋を手で吊り下げたり把持したり、或いはバッグ等に移し変えて散歩を続ける必要がある。
【考案の開示】
【考案が解決しようとする課題】
【０００４】
上記従来の袋を用いる手段においては、ペットの脱糞の都度、袋を要し、用済み後はこれを廃棄する（使い捨てする）ことになることから、省資源の観点からすれば好ましいことではない。そして、糞が側溝等の底や法面の低所などに排便された場合のように、手を伸ばしては回収しにくい場所では、どうしても回収されることなく放置されがちとなる。また、ビニール袋に回収する場合には持ち歩く際の手の汚れ等の危険性は低いが、その後は、これをそのまま一般塵として捨てられる傾向があり、塵処理における衛生上からして好ましいことではない。また、紙製の袋では、臭気漏れや袋の破損のし易さ等の点からして問題がある。
【０００５】
そして、箸やハサミ道具を用いる場合には、糞の状態（硬軟）や量によっては、それを適切に挟み取って回収することができない危険性がある。また、うまく挟み上げたとしても、袋に移し変える過程で、糞の脱落等を招きやすいといったことから、回収が不完全となりがちであるといった問題がある。このように従来においては、ペット用の糞回収具の適切なものがなく、ペット愛好家においてその開発が要請されていた。
【０００６】
本考案は、犬や猫などのペット（以下、単にペットともいう）を散歩に連れ歩く際において、その用便時の糞を、ビニール袋や紙袋を要することなく、簡易に回収し得、そしてそのまま持ち歩くことができ、しかも、糞の処分も簡易かつ適切に行うことのできるペット用の糞回収具を提供することにある。
【課題を解決するための手段】
【０００７】
本考案の請求項１に記載のペット用の糞回収具は、バネによって自由状態においては両脚が、その下端が開く開脚状をなすように形成されたハサミ本体と、その両脚の各下端に容器を備えており、前記各容器は前記両脚を閉じることによって糞を挟み取る形で該容器内に収容可能でありかつ前記容器が相互に塞がれるように構成されており、前記両脚には、その閉脚状態において前記両脚に沿って下端側へ移動されることによってその閉脚状態が保持されかつ前記容器が相互に塞がれた状態が保持されるように形成された閉脚用クリップが、外嵌状に設けられていることを特徴とする。
【０００８】
請求項２に記載のペット用の糞回収具は、バネによって自由状態においては両脚が、その下端が開く開脚状をなすように形成されたハサミ本体と、その両脚の一方の下端に容器を備えると共に他方の下端に蓋を備えており、前記容器と前記蓋とは前記両脚を閉じることによって糞を挟み取る形で該容器内に収容可能でありかつ前記容器が前記蓋で塞がれるように構成されており、前記両脚には、その閉脚状態において前記両脚に沿って下端側へ移動されることによってその閉脚状態が保持されかつ前記容器が前記蓋で塞がれた状態が保持されるように形成された閉脚用クリップが、外嵌状に設けられていることを特徴とする。
【０００９】
請求項３に記載のペット用の糞回収具は、前記バネが、前記両脚の上端部において該両脚と一体で折返し状に形成された板バネであることを特徴とする請求項１又は２のいずれか１項に記載のペット用の糞回収具である。
【００１０】
請求項４に記載のペット用の糞回収具は、前記閉脚用クリップが環状体であることを特徴とする請求項１、２又は３のいずれか１項に記載のペット用の糞回収具である。
【００１１】
請求項５に記載のペット用の糞回収具は、前記バネが、前記両脚の上端部において該両脚と一体で折返し状に形成された板バネであり、前記閉脚用クリップが環状体であり、前記両脚に外嵌状に設けられたこの環状体が前記両脚の上端から抜けないように前記板バネが形成されていることを特徴とする請求項１又は２のいずれか１項に記載のペット用の糞回収具である。
【考案の効果】
【００１２】
本考案に係るペット用の糞回収具は、両脚を閉じることによって糞を挟み取る形でそれを容器内に収容可能であり、しかも容器が塞がれるように構成されている。また、両脚には、その閉脚状態において両脚に沿って下端側へ移動されることによってその閉脚状態が保持されかつ容器が塞がれた状態が保持されるように形成された閉脚用クリップを、外嵌状に備えてなるものである。このようなペット用の糞回収具においては、糞の回収に際して、ビニール袋や紙袋を要することもなく、両脚を閉じることによって容器内に糞を収容できる。そして、回収後は、別途の手段を要することなく、備え付けの閉脚用クリップを、両脚の閉脚状態において、それに沿って下端側へ移動させることでその閉脚状態が保持され、しかも容器が塞がれた状態が保持されるため、そのまま回収した糞を携行できるので、その後の散歩の支障となることもない。
【００１３】
さらに、散歩を終えた帰宅後においては、自宅の大便器内において、閉脚用クリップを上端側へ移動させることで容器を開口して内部の糞を衛生的に汚水管に流すことができる。同時に大便器の洗浄水で容器の洗浄もできるため、極めて便利である。このように、本考案に係るペット用の糞回収具によれば、単純な構造で、糞の回収、携行、及び家庭内での処理ができる上に、繰り返し使用できるため、極めて便利である。
【考案を実施するための最良の形態】
【００１４】
以下、本考案を実施するための最良の形態について、図１〜図３に基づいて詳細に説明する。図中、１は、ペット用の糞回収具の全体を示す正面図である。図１に示したように、本形態のペット用の糞回収具１は例えば鋼製の細長い薄鉄板からなる帯状部材を逆Ｖ字状に曲げてなる両脚３，３を有するハサミ本体２と、その各脚３の下端に取付けられた容器６とを主体として次のように形成されている。ハサミ本体２は、逆Ｖ字状に曲げられてなる直線状の両脚３，３を有しており、自由状態においては両脚３，３が適宜の開脚角度（５度〜３０度）でその下端が開脚するように形成されている。そして、この両脚３，３はそれらが閉じられた後は、両脚３，３と同一部材から連続してなる上端部（折返し部）４に折返し状に形成されてなる板バネ４ａによって開くように形成されている。ただし、ハサミ本体２をなす各脚３，３の横断面は、図３中の断面図に示したように例えば外側に凸となす山形を呈しており、図２、３に示したように、下端に向かうに従って幅が広くなるように形成されている。
【００１５】
そして、本形態では、その両脚３，３の各下端には、横に長い直方体形状をなし、ともに内向き側が開口されてなる同一の形状、大きさの容器６，６を備えている。この各容器６，６は、図１〜３に示したように、両脚３，３を閉じることによって他方が蓋を成す形で相互に、双方の容器６，６の開口の周縁６ａが突合せ状となって塞がれるように構成されている。ただし、各容器６，６が閉じあった際において両脚３，３は所定の間隔を保持するように形成されている。これにより、この各容器６，６は、両脚３，３を閉じるようにすることで、図１、３に示したように糞Ｈを挟み取る形で収容できるように構成されている。
【００１６】
また、図１における左右の各脚３，３及び容器６，６は、本形態では正面視（図１）及び側面視（図２）において左右対称に形成されている。そして、各脚３，３の下端に取付けられている容器６，６は、プラスチック製とされ、例えばリベットなどによって、各脚３の下端に固定されている。なお、各容器６，６の間の間隔は、両脚３、３の開脚状態（自由状態）において糞Ｈをそのまま挟み取ることができる程度に開くように設定されており、例えば１００ｍｍ程度とされている。なお、両脚３，３の自由状態における開脚角度はこの間隔（寸法）が得られるように両脚３、３の長さに応じて適宜に設定すればよい。
【００１７】
また、両脚３，３には、図１〜３に示したように、その閉脚状態においてその両脚３，３に沿って下端側へ移動されることによってその閉脚状態が保持されると共に、容器６，６が相互に塞がれた状態が保持されるように形成された閉脚用クリップとして環状体（２重リング）９を、外嵌状に備えている。ただし、この環状体９は、両脚３，３が閉脚状態にないとき、つまり自由状態の開脚状態にあるときは、図１に示したように、その上端寄り部位に位置するようにされている。すなわち、本形態では、ハサミ本体２をなす両脚３，３の上端寄り部位における板バネ４ａが、両脚３，３と一体で折返し状に形成されているが、その板バネ４ａは正面視において有端円弧状に曲げられており、その円弧の各端と各脚３との連結部が外側においてくびれをなすように形成されており、その開脚状態（自由状態）において、環状体９がこのくびれ部５に外嵌状に緩く嵌って保持されるように形成されている。すなわち、有端円弧状に曲げられてなる板バネ４ａが、外嵌されている環状体９を両脚３，３の上端から抜け出ないようにしている。すなわち、本例では、環状体９がハサミ本体２から脱落ないし分離しないようにされている。一方、上端部４の板バネ４ａのなす有端円弧状の部位は、人の指が数本入るように設定されており、それによって糞回収具１をぶら下げて携行できるようにされている。
【００１８】
また、本形態では、図１〜３に示したように、両脚３，３を閉脚して、各容器６，６の開口側を相互に閉じたとき、各容器６，６の周縁６ａが略一致するように形成されている。こうして両脚３、３の下端の各容器６，６を下にして、その下縁が地面Ｇに沿うようにして両脚３，３を閉じることで、地面Ｇにあるペットの糞Ｈを挟み取る形でその容器６，６内に収容できるように構成されている。そして、その状態において、図２，３に示したように、環状体９を、閉じた両脚３，３に沿って下にずらすことで、その閉脚状態つまり容器６，６が相互に塞がれた状態が保持されるようにされている。なお、両脚３，３は下端に向かうほど正面視、及び側面視における幅が広くなるように形成されており、容器６，６が相互に塞がれた状態において、環状体９を両脚３，３の中間部位よりやや下に位置することで、その状態が保持されるようにされている。また、環状体９は、両脚３，３の下端寄り部位より下には行かないように、両脚の同部位の太さが設定されているが、仮に一番下まで移動する場合でも、容器６自体がその抜け止め作用をするように形成されている。
【００１９】
なお、容器６，６が相互に塞がれた状態において、互いに突合せ部をなす少なくとも一方の容器６の開口の周縁６ａには、シールが保持されるように例えば図４に示したような断面が凹形をなすゴムパッキングなどのシール材１１を接着等により取付けておくとよい。また、図５に示したように、一方の容器６の開口が他方の容器６の開口に嵌合するように、例えば図示右の容器６の開口の周囲に、図示左の容器６の開口内側に嵌る嵌合壁１３を設けておいてもよい。このようにしておけば、容器６内に収容した糞の封止性、或いは脱落防止効果が高められる。
【００２０】
このような本形態のペット用の糞回収具１においては、ペットが散歩途中で脱糞した際には、飼い主は糞回収具１の両脚３，３を把持し、その両脚３，３を閉じるようにして、図１に示したように、その糞Ｈを下端の容器６，６で挟み取る。こうするだけで、糞Ｈは、その容器６，６内に収容される。そして、その状態において、図２，３に示したように、備え付けの環状体９を下にずらして、両脚３が開脚して容器６，６が開くのを防ぐようにしておく。かくして、糞Ｈをビニール袋や紙袋を要することなく、簡易に回収し得る。そして、その後は両脚３，３の上端部４の板バネ４ａ内に指を入れてぶら下げるなどして、回収した糞を携行できるので、その後の散歩の支障となることもなく、極めて便利である。さらに、散歩を終えた帰宅後においては、大便器内において、環状体９を上端側へ移動させることで容器６，６を開口して、容器６内の糞Ｈを衛生的に下水に排水処理することができる。また、本形態では、閉脚用クリップを環状体９とし、両脚３，３の上端から抜けないようにしたため、その紛失も防がれており、極めて使い勝手がよいものとされている。
【００２１】
さて、次に別形態について図６〜図８に基づいて説明する。ただし、このペット用の糞回収具２１は、上記形態における図示右側の脚３の下端に設けた容器６に代えて、これを蓋１６にした点のみが相違するだけで、その他の点については異なる点がないことから、同一の部位には同一の符号を付し、その詳細な説明は省略する。すなわち、本形態では、図１における右の容器６に代えてこれを、左の容器６の開口をちょうど覆う大きさ、形状に形成された蓋１６としたため、その構造の簡易化が図られる。なお、この蓋１６は、例えば、容器６に向き合う側の面１６ａが平坦面とされており、その反対側の面１６ｂは周囲の壁１６ｃを残して凹設されたものとされており、その壁１６ｃが蓋１６の特に周囲の剛性を高めるように形成されている。しかして、両脚３，３を閉じたとき、容器６に対して蓋１６が、その開口をきちんとカバーするようにされている。このものでは、容器６が片方だけのため、糞の収容容積が上記形態に比べると半分となるため、小型犬のように糞の量が少ないペットに好適である。なお、本形態においても、上記した形態と同様に、蓋１６又は容器６の開口の周縁にパッキングを取付けておいてもよいし、蓋１６又は容器６が、相対的に嵌るように、容器６の開口の周囲又は蓋１６の周囲のいずれか一方に、図５に示したような嵌合壁１３を設けておいてもよい。
【００２２】
本考案は、上記した実施の形態のものに限定されるものではなく、その要旨を逸脱しない範囲において、種々設計変更して具体化できる。例えば、閉脚用クリップを上記においては環状体９としたが、これは両脚３，３に、その閉脚状態において両脚３，３に沿って下端側へ移動されることによってその閉脚状態が保持されかつ容器６が塞がれた状態が保持されるように形成されたものであればよく、したがって、Ｕ字状のものであってもよいなど、その形状、構造は適宜に変更して具体化できる。
【００２３】
また、上記においては、ハサミ本体２におけるバネを両脚３，３の上端部に一体で形成した板バネ４ａにて形成したが、これは両脚３，３とは別体のコイルバネを取付けることでもよい。そして、両脚３，３の上端部にはピン止めの開閉自在のヒンジ機構を設けておき、両脚３，３の中間部位に別体のバネ（圧縮コイルばね、或いは板バネ）を設けておき、そのバネによって自由状態において、両脚がその下端が開く開脚状をなすように形成されたものとしてもよい。すなわち、両脚が自由状態においてその下端が開く開脚状をなすバネであり、閉脚したとき、そのバネによって開脚するように形成されていれはよい。さらに、容器は、上記においては、直方体形状のものとして具体化したが、楕円形や長円形で深さのある箱形状の容器であってもよいなど、その形状は適宜のものとすればよい。
【図面の簡単な説明】
【００２４】
【図１】ペット用の糞回収具の実施の形態を示した一部破断正面図。
【図２】図１のペット用の糞回収具において、両脚を閉じている状態の側面図。
【図３】図１のペット用の糞回収具において、両脚を閉じている状態の正面図。
【図４】容器の別例を示す両脚を閉じている状態の破断正面図。
【図５】容器の別例を示す両脚を閉じている状態の破断正面図。
【図６】ペット用の糞回収具の別の実施の形態を示した一部破断正面図。
【図７】図６のペット用の糞回収具において、両脚を閉じている状態の右側面図。
【図８】図６のペット用の糞回収具において、両脚を閉じている状態の正面図。
【符号の説明】
【００２５】
１、２１  ペット用の糞回収具
２  ハサミ本体
３、３  脚
４ａ  板バネ
５  くびれ部
６，６  容器
９  環状体（閉脚用クリップ）
１６  蓋
【図１】
0003111673.tif 000003
【図２】
0003111673.tif 000004
【図３】
0003111673.tif 000005
【図４】
0003111673.tif 000006
【図５】
0003111673.tif 000007
【図６】
0003111673.tif 000008
【図７】
0003111673.tif 000009
【図８】
0003111673.tif 000010